(57)【要約】【課題】通信品質の確保を図りながらＡＶデータを高速で伝送することができるＡＶデータ無線伝送システムを提供する。【解決手段】本発明に係るＡＶデータ無線伝送システムは、ＡＶデータ送信機１からＡＶデータ受信機２へのデータ送信プロトコルとしてＵＤＰを用いている。そして、ＡＶデータ送信機１は、各ＵＤＰパケットに個別の管理番号を付加する付加手段及びＡＶデータ受信機２からの再送要求に応じたＵＤＰパケットを再送する再送手段であるＭＡＣ制御部７を有している。さらに、ＡＶデータ受信機２は、前記管理番号を判定して欠落したＵＤＰパケットを特定し、その特定したＵＤＰパケットの再送要求をＡＶデータ送信機１に通知する再送要求手段であるＭＡＣ制御部１０を有している。【選択図】図１
2007180943.tif 000002
【特許請求の範囲】
【請求項１】
入力したＡＶデータに基づくデータを電波信号に変換して出力するＡＶデータ送信機と、前記ＡＶデータ送信機から出力される電波信号を変換したデータに基づいて元のＡＶデータを得て外部出力するＡＶデータ受信機とを備えるＡＶデータ無線伝送システムにおいて、
前記ＡＶデータ送信機から前記ＡＶデータ受信機へのデータ送信プロトコルとしてＵＤＰを用い、
前記ＡＶデータ送信機は、前記入力したＡＶデータに基づくデータを構成する各ＵＤＰパケットに個別の管理番号を付加する付加手段と、前記ＡＶデータ受信機からの再送要求に応じたＵＤＰパケットを再送する再送手段とを有し、
前記ＡＶデータ受信機は、前記管理番号を判定して欠落したＵＤＰパケットを特定し、その特定したＵＤＰパケットの再送要求を前記ＡＶデータ送信機に通知する再送要求手段を有することを特徴とするＡＶデータ無線伝送システム。
【請求項２】
前記ＡＶデータ受信機が、欠落したパケットを再送要求した場合に再送要求してから再送されたＵＤＰパケットが到着する迄にかかる時間が有効到達時間を超えるかを判定し、有効到達時間を超える場合は前記再送要求手段による再送要求を行わない請求項１に記載のＡＶデータ無線伝送システム。
【請求項３】
前記ＡＶデータ送信機が、ＵＤＰパケットを再送しても、再送要求してから再送されたＵＤＰパケットが到着する迄にかかる時間が所定の時間を超える場合には、前記再送手段による再送を行わない請求項１に記載のＡＶデータ無線伝送システム。
【発明の詳細な説明】
【技術分野】
【０００１】
本発明は、電波を用いた無線通信により送信機から受信機にＡＶデータ（音声・映像データ）が伝送されるＡＶデータ無線伝送システムに関する。
【背景技術】
【０００２】
従来のＡＶデータ無線伝送システムは、通信部のプロトコルとしてＴＣＰ（Transmission Control Protocol）を用いていた。
【特許文献１】特開２００３−６９４７２号公報（第３頁、第６図）
【発明の開示】
【発明が解決しようとする課題】
【０００３】
ＡＶデータ無線伝送システムの特徴は、伝送路が無線であるために電波干渉などの妨害により通信パケットが確実に伝送できない可能性があること、また通信できなかったパケットを再送処理する場合に、扱うデータがＡＶデータという到達時間制限のあるデータであることである。
【０００４】
従来のＡＶデータ無線伝送システムで用いられているＴＣＰによる通信は、伝送速度が低速であるため、ＡＶデータ特に高画質・高音質のＡＶデータの伝送に適していない。また、従来のＡＶデータ無線伝送システムで用いられているＴＣＰによる通信は、パケットの番号管理による再送機能を有しているが、再送処理について時間管理の概念がないため、受信機に未到達のＡＶデータが必要時間内に送信機から再送されず、受信機側で映像や音声を問題なく再生することができないおそれがあった。
【０００５】
なお、特許文献１では、無線データ通信システムに用いられているプロトコルとして、ＴＣＰの他にＵＤＰ（User Datagram Protocol）を挙げている。しかしながら、単にＵＤＰを用いただけでは、データが欠落した場合でも再送を行わないので、通信品質が低くなってしまうという問題があった。
【０００６】
本発明は、上記の問題点に鑑み、通信品質の確保を図りながらＡＶデータを高速で伝送することができるＡＶデータ無線伝送システムを提供することを目的とする。
【課題を解決するための手段】
【０００７】
上記目的を達成するために本発明に係るＡＶデータ無線伝送システムは、入力したＡＶデータに基づくデータを電波信号に変換して出力するＡＶデータ送信機と、前記ＡＶデータ送信機から出力される電波信号を変換したデータに基づいて元のＡＶデータを得て外部出力するＡＶデータ受信機とを備えるＡＶデータ無線伝送システムであって、前記ＡＶデータ送信機から前記ＡＶデータ受信機へのデータ送信プロトコルとしてＵＤＰを用いている。そして、前記ＡＶデータ送信機は、前記入力したＡＶデータに基づくデータを構成する各ＵＤＰパケットに個別の管理番号を付加する付加手段と、前記ＡＶデータ受信機からの再送要求に応じたＵＤＰパケットを再送する再送手段とを有する。さらに、前記ＡＶデータ受信機は、前記管理番号を判定して欠落したＵＤＰパケットを特定し、その特定したＵＤＰパケットの再送要求を前記ＡＶデータ送信機に通知する再送要求手段を有する。
【０００８】
このような構成によると、前記ＡＶデータ送信機から前記ＡＶデータ受信機へのデータ送信プロトコルとしてＵＤＰを用いているので、伝送速度が高速であり、特に高画質・高音質のＡＶデータの伝送に適している。さらに、単にＵＤＰを用いるのではなく、パケットが欠落した場合には再送を行うようにしているので、通信品質の確保を図ることができる。
【０００９】
また、前記ＡＶデータ受信機が、欠落したパケットを再送要求した場合に再送要求してから再送されたＵＤＰパケットが到着する迄にかかる時間が有効到達時間を超えるかを判定し、有効到達時間を超える場合は前記再送要求手段による再送要求を行わないようにしてもよい。ここで、有効到達時間は、例えば、後述する本発明の実施形態において、メモリ１３に予め格納されている一定の処理完了時間から、メモリ１３に一時的に格納された圧縮ＡＶデータをＭＰＥＧデコーダ１１へ送出するために必要な処理時間を差し引いた時間である。
【００１０】
これにより、無線通信路に不必要な負荷をかけることを低減し、その通信路品質に応じた最適なデータ通信品質を確保することが可能となる。
【００１１】
また、前記ＡＶデータ送信機が、ＵＤＰパケットを再送しても、再送要求してから再送されたＵＤＰパケットが到着する迄にかかる時間が所定の時間を超える場合には、前記再送手段による再送を行わないようにしてもよい。ここで、所定の時間は、欠落したＵＤＰパケットを再送後に有効に処理することができる最大許容時間である。
【００１２】
これにより、無線通信路に不必要な負荷をかけることを低減し、その通信路品質に応じた最適なデータ通信品質を確保することが可能となる。
【発明の効果】
【００１３】
本発明に係るＡＶデータ無線伝送システムによると、通信品質の確保を図りながらＡＶデータを高速で伝送することができる。
【発明を実施するための最良の形態】
【００１４】
本発明の実施形態について図面を参照して以下に説明する。本発明に係るＡＶデータ無線伝送システムの一構成例を図１に示す。図１に示すＡＶデータ無線伝送システムは、ＡＶデータ送信機１とＡＶデータ受信機２とによって構成されており、ＡＶデータ送信機１からＡＶデータ受信機２へのデータ送信プロトコルとしてＯＳＩ（Open Systems Interconnection）参照モデルのトランスポート層のＵＤＰを用いている。
【００１５】
ＡＶデータ送信機１は、デコーダ５と、ＭＰＥＧ（Moving Picture Experts Group）エンコーダ６と、ＭＡＣ（Media Access Control）制御部７と、アンテナ（不図示）を内蔵しているＲＦ（Radio frequency）回路８とによって構成され、ＶＣＲ（Video Cassete Recorder）等のＡＶソース機器３に有線接続される。ＡＶソース機器３から出力されたＡＶデータは、デコーダ５によってデジタル化されたのち、ＭＰＥＧエンコード６によってデータ圧縮される。ＭＰＥＧエンコード６の入力データと比較してデータサイズが小さくなったＭＰＥＧエンコード６の出力データは、ＭＡＣ制御部７に送出され、ＭＡＣ制御部７でＵＤＰの通信パケット（以下、ＵＤＰパケットという）に格納され、その格納の際にパケット毎に個別の管理番号（各パケットを識別するための識別番号）が付加される。ＭＰＥＧエンコード６の出力データを格納したＵＤＰパケットは、ＭＡＣ制御部７からＲＦ回路８に送出され、ＲＦ回路８で高周波（例えば、数ＧＨｚ帯）の電波信号に変換されて、無線パケットとして出力される。
【００１６】
ＡＶデータ受信機２は、アンテナ（不図示）を内蔵しているＲＦ回路９と、ＭＡＣ制御部１０と、ＭＰＥＧデコーダ１１と、エンコーダ１２とによって構成され、ＴＶ(Television)等の視聴機器４に有線接続される。ＲＦ回路９は、ＡＶデータ送信機１からの電波信号である無線パケットを受信し、その受信した無線パケットをＵＤＰパケットに変換し、そのＵＤＰパケットをＭＡＣ制御部１０に送出する。ＭＡＣ制御部１０は、ＵＤＰパケットから圧縮されたＡＶデータを取り出し、その圧縮されたＡＶデータをＭＰＥＧデコーダ１１に送出する。ＭＰＥＧデコーダ１１は、圧縮されたＡＶデータを元のサイズに伸張し、その伸長したＡＶデータをエンコーダ１２に送出する。エンコーダ１２は、ＭＰＥＧデコーダ１１の出力データをアナログ変換して視聴機器４の入力信号仕様にあったＡＶデータに変換し、そのアナログ変換されたＡＶデータを視聴機器４に送出する。
【００１７】
ＡＶデータ受信機２のＭＡＣ制御部１０は、ＵＤＰパケットの管理番号を判定して欠落したパケットを特定し、その特定したパケットの再送要求をＲＦ回路９経由でＡＶデータ送信機１に通知する。ＡＶデータ送信機１のＭＡＣ制御部７は、ＡＶデータ受信機２から再送要求をＲＦ回路８経由で受け取り、再送要求されたＵＤＰパケットの管理番号に基づいて、その再送要求されたＵＤＰパケットに格納した圧縮ＡＶデータを再度ＵＤＰパケットに格納し、その格納の際に欠落したパケット（再送要求されたパケット）と同じ管理番号を付して再送する。
【００１８】
本発明に係るＡＶデータ無線伝送システムは、ＵＤＰを用いているので、伝送速度が高速であり、特に高画質・高音質のＡＶデータの伝送に適している。さらに、本発明に係るＡＶデータ無線伝送システムは、単にＵＤＰを用いるのではなく、パケットが欠落した場合には再送を行うようにしているので、通信品質の確保を図ることができる。
【００１９】
次に、本発明に係るＡＶデータ無線伝送システムの他の実施例について説明する。本発明に係るＡＶデータ無線伝送システムの他の実施例は、図１に示すＡＶデータ無線伝送システムのＡＶデータ受信機２を図２に示すＡＶデータ受信機２’に置換した構成である。なお、図２において図１と同一の部分には同一の符号を付し詳細な説明を省略する。
【００２０】
図２に示すＡＶデータ受信機２’は、図１に示すＡＶデータ受信機２にメモリ１３を新たに加えた構成である。メモリ１３は、システム全体のデータ処理時間で規定される一定の処理完了時間のデータを予め格納しており、ＭＡＣ制御部１０に接続されている。ＭＡＣ制御部１０は、ＲＦ回路９から送られてくるＵＤＰパケットから圧縮ＡＶデータを取り出し、その圧縮ＡＶデータを一旦メモリ１３に格納する。ＭＡＣ制御部１０は、圧縮ＡＶデータそれぞれについて、メモリ１３に格納してから上記一定の処理完了時間が経過するまでの間に、圧縮ＡＶデータをＭＰＥＧデコーダ１１に送出する。
【００２１】
尚、ＭＡＣ制御部１０は、ＵＤＰパケットの管理番号を判定して欠落したパケットを特定するが、メモリ１３に一時的に格納された圧縮ＡＶデータをＭＰＥＧデコーダ１１へ送出するために必要な処理時間と欠落したパケットを再送要求した場合に再送要求してから再送パケットが到着する迄にかかる時間とを合計し、その合計時間が上記一定の処理完了時間より大きい場合、すなわち、例え再送により欠落パケットが到着してもＭＰＥＧデコーダ１１に送出しなければならない時間に間に合わない場合は、欠落したパケットの再送を要求しないよう処理する。これにより、無線通信路に不必要な負荷をかけることを低減し、その通信路品質に応じた最適なデータ通信品質を確保することが可能となる。
【００２２】
次に、本発明に係るＡＶデータ無線伝送システムの更に他の実施例について説明する。本発明に係るＡＶデータ無線伝送システムの更に他の実施例は、図１に示すＡＶデータ無線伝送システムのＡＶデータ送信機１を図３に示すＡＶデータ送信機１’に置換した構成である。なお、図３において図１と同一の部分には同一の符号を付し詳細な説明を省略する。
【００２３】
図３に示すＡＶデータ送信機１’は、図１に示すＡＶデータ送信機１にメモリ１４を新たに加えた構成である。メモリ１４は、ＭＡＣ制御部７に接続されている。ＭＡＣ制御部７は、ＭＰＥＧエンコーダ６の出力データをＵＤＰパケットに格納し、そのＵＤＰパケットを一旦メモリ１４に格納する。メモリ１４に格納されたＵＤＰパケットは一定量格納された後に先に格納されたものからＭＡＣ制御部７によりＲＦ回路８に順次送られる。また、ＭＡＣ制御部７からメモリ１４に送られる新しいＵＤＰパケットは、メモリ１４内で順次古いＵＤＰパケットに上書きされる。また、ＭＡＣ制御部７は、システム全体のデータ処理時間管理を行っており、ＡＶデータ受信機２からの欠落ＵＤＰパケットの再送要求に対し、送付しなければならない時間に間に合わない場合は、そのＵＤＰパケットの再送をしないよう処理する。これにより無線通信路に不必要な負荷をかけることを低減し、その通信路品質に応じた最適なデータ通信品質を確保することが可能となる。
【００２４】
尚、無線ＬＡＮのハードウェアを持つものの制御ドライバを変えるだけで、本発明に係るＡＶデータ無線伝送システムの構成部品であるＡＶデータ送信機或いはＡＶデータ受信機として用いることができるので、本発明はいろいろな仕様の無線ＬＡＮのハードウェアにも容易に適用が可能である。
【図面の簡単な説明】
【００２５】
【図１】は、本発明に係るＡＶデータ無線伝送システムの一構成例を示すブロック図である。
【図２】は、本発明に係るＡＶデータ無線伝送システムの他の構成例に用いられるＡＶデータ受信機のブロック図である。
【図３】は、本発明に係るＡＶデータ無線伝送システムの更に他の構成例に用いられるＡＶデータ送信機のブロック図である。
【符号の説明】
【００２６】
１、１'    ＡＶデータ送信機
２、２'    ＡＶデータ受信機
３    ＡＶソース機器
４    視聴機器
５    デコーダ
６    ＭＰＥＧエンコーダ
７、１０    ＭＡＣ制御部
８、９    ＲＦ回路
１１    ＭＰＥＧデコーダ
１２    エンコーダ
１３、１４    メモリ
【図１】
2007180943.tif 000003
【図２】
2007180943.tif 000004
【図３】
2007180943.tif 000005